(57)【特許請求の範囲】
【請求項１】
装着者の頭部に装着されるかつらベースと、前記かつらベースに植毛される人工毛又は人毛からなる毛髪とを備え、前記かつらベースが、人工又は天然素材からなる糸状部材を交差状又は略平行に配したネットを含むかつらであって、
前記毛髪を略Ｖ字又は略Ｕ字に曲げ、前記毛髪の２つの自由端の反対側に曲げ部を形成する工程と、
前記毛髪の曲げ部を、前記ネットの表側から裏側に挿通し、前記糸状部材の下側を通して、前記ネットの表側に引き出す工程と、
前記毛髪の曲げ部の内側に、前記毛髪の２つの自由端側を通す工程と、
前記毛髪の曲げ部の内側に通した２つの自由端側を、前記曲げ部の外側から内側に再び通す工程と、
前記毛髪の曲げ部の内側に通した２つの自由端側を、互いに反対方向に引っ張ることによって、前記糸状部材に結び目を形成し、前記毛髪を保持する工程と、
を経て形成される前記ネットの糸状部材の結び目によって、前記毛髪が略Ｖ字又は略Ｕ字に曲げられた状態で前記かつらベースに保持されるかつら。
【請求項２】
前記ネットが、複数本の前記糸状部材を撚ったマルチフィラメントからなり、前記マルチフィラメントを構成する１本の前記糸状部材が形成する前記結び目によって、前記毛髪が前記かつらベースに保持される請求項１に記載のかつら。
【請求項３】
前記ネットの糸状部材が、前記毛髪よりも柔軟な素材からなる請求項１又は２のいずれか１項に記載のかつら。
【請求項４】
前記ネットの糸状部材が、前記毛髪の直径よりも小さい直径を有する請求項１〜３のいずれか１項に記載のかつら。
【請求項５】
前記ネットの結び目が、接着剤で固定された請求項１〜４のいずれか１項に記載のかつら。
【請求項６】
前記毛髪を保持した前記ネットの形状が、整形剤によって整えられた請求項１〜５のいずれか１項に記載のかつら。
【請求項７】
装着者の頭部に装着されるかつらベースと、前記かつらベースに植毛される人工毛又は人毛からなる毛髪とを備え、前記かつらベースが、人工又は天然素材からなる糸状部材を交差状又は略平行に配したネットを含むかつらの製造方法であって、
前記かつらベースに前記毛髪を植毛する工程が、
前記毛髪を略Ｖ字又は略Ｕ字に曲げ、前記毛髪の２つの自由端の反対側に曲げ部を形成する工程と、
前記毛髪の曲げ部を、前記ネットの表側から裏側に挿通し、前記糸状部材の下側を通して、前記ネットの表側に引き出す工程と、
前記毛髪の曲げ部の内側に、前記毛髪の２つの自由端側を通す工程と、
前記毛髪の曲げ部の内側に通した２つの自由端側を、前記曲げ部の外側から内側に再び通す工程と、
前記毛髪の曲げ部の内側に通した２つの自由端側を、互いに反対方向に引っ張ることによって、前記糸状部材に結び目を形成し、前記毛髪を保持する工程と、
を含む、かつらの製造方法。
【請求項８】
前記糸状部材に結び目を形成して前記毛髪を保持した後、前記結び目を接着剤で固定する工程を含む、請求項７に記載のかつらの製造方法。
【請求項９】
前記糸状部材に結び目を形成して前記毛髪を保持した後、前記ネットの形状を整形剤で整える工程を含む、請求項７又は８に記載のかつらの製造方法。
【発明の詳細な説明】
【技術分野】
【０００１】
本発明は、かつらベースのネットに毛髪を植毛した構成のかつら及びかつらの製造方法に関し、特に、毛髪が結び目を形成せず、ネットが形成した結び目によって毛髪が保持され、かつらベースに植毛された毛髪の根元を自然な外観にすることが可能なかつら及びかつらの製造方法に関する。
【背景技術】
【０００２】
一般的なかつらは、かつらベースに、人工毛又は人毛からなる毛髪が植毛された構成となっている。かつらベースは、人工又は天然素材からなる糸状部材を交差状又は略平行に配したネットを備える。毛髪は、ネットの糸状部材に結び付けられて、かつらベースに植毛される。
【０００３】
しかし、従来の植毛方法は、毛髪をネットに結び付けていたため、毛髪の根元に結び目の塊ができてしまい、かつらの外観が不自然になってしまう課題がある。特に、黒や茶といった暗色の毛髪の結び目は暗色の塊となり、例えば、人工皮膚のような頭皮を模した明るい肌色のネット上で目立ってしまう。
【０００４】
そこで、本出願人は、特開２０１４−０７７２０８号公報（特許文献１）において、毛髪が結び目を形成しない、画期的な構成のかつらを提案した。特許文献１のかつらは、ネットを構成する糸状部材が結び目を形成して、かつらベースに毛髪が保持される構成となっている。
【０００５】
図１７及び図１８は、特許文献１のかつらにおける、毛髪とネットとの結合部分を二方向から見た状態を示す拡大図である。これら図面において、ネットを構成する糸状部材１１は、結び目１２０を形成する。結び目１２０は、糸状部材１１の連続する部分によって形成され、毛髪３の曲げ部の内側を通過する保持部１２０ａ、１２０ｂと、毛髪３の外側に巻き付く略環状の曲げ部１２０ｃとからなる。このような結び目１２０により、略Ｖ字又は略Ｕ字に曲げられた状態でかつらベースに保持される。
【０００６】
このような、特許文献１のかつらによれば、ネットの糸状部材１１が結び目１２０を形成して毛髪３を保持するので、毛髪３の根元を自然な外観にすることができる。特に、ネットが肌色などの明色である場合は、糸状部材１１の結び目が目立たず、１つの毛穴から２本の毛髪３が生えているような自然な外観となる。
【先行技術文献】
【特許文献】
【０００７】
【特許文献１】特開２０１４−０７７２０８号公報
【発明の概要】
【発明が解決しようとする課題】
【０００８】
しかし、特許文献１におけるネットの結び目１２０は、毛髪３の立ち上がりが十分ではなく、かつらベースに植毛された毛髪３に一定の方向性を与えてしまうという課題を内在していた。つまり、かつらベースに植毛された毛髪３は、概ね一方向を向いてしまう。
【０００９】
このため、特許文献１におけるネットの結び目１２０は、かつらベースのうち、毛髪３の方向性が望まれる箇所、例えば、分け目部分などの限定された範囲にしか適用することができないという課題があった。また、特許文献１におけるネットの結び目１２０は、毛髪３に一定の方向性を与えてしまうため、例えば、「真ん中分け」、「左分け」又は「右分け」等のスタイルを予め設定して植毛を行う必要があり、植毛工程の完了後に、かつらのスタイルを自由に決めることができない課題があった。さらに、特許文献１におけるネットの結び目１２０は、毛髪３に一定の方向性を与えてしまうため、スタイルを予め設定して植毛したとしても、スチーマーなどの器具を用いて毛髪３の向きを調整する、スタイリング作業に手間を要するという課題があった。
【００１０】
本発明は、上記の技術的課題に鑑みてなされたものであり、毛髪の毛立ちを良好にすることができ、毛髪のスタイリング作業が容易になるとともに、スタイルの自由度を向上させることができ、さらに、毛髪が結び目を形成しない画期的な植毛方法を、かつらベースの広い範囲に適用することが可能となる、かつら及びかつらの製造方法を提供することを目的とする。
【課題を解決するための手段】
【００１１】
（１）上記目的を達成するために、本発明のかつらは、装着者の頭部に装着されるかつらベースと、前記かつらベースに植毛される人工毛又は人毛からなる毛髪とを備え、前記かつらベースが、人工又は天然素材からなる糸状部材を交差状又は略平行に配したネットを含むかつらであって、前記毛髪は、前記ネットの糸状部材が形成する結び目によって、略Ｖ字又は略Ｕ字に曲げられた状態で前記かつらベースに保持され、前記ネットの結び目は、前記糸状部材の連続する部分によって形成され、前記毛髪の曲げ部の内側を通過する一対の第１部分と、前記第１部分に連続し、前記毛髪の外側で互いに交差する一対の第２部分と、を備えた構成としてある。
【００１２】
上記構成からなる本発明のかつらは、ネットの結び目が、第１部分に連続し、毛髪の外側で交差する一対の第２部分を形成する。これら第２部分が、毛髪の根元を締め付けて、毛髪を上向きに立ち上がらせる。これにより、毛髪の毛立ちが良好となり、毛髪が自由な方向を向くようになる。この結果、毛髪のスタイリング作業が容易となり、また、植毛工程の完了後に、毛髪のスタイルを自由に変更することが可能となる。例えば、毛髪に分け目を付けないフリースタイルのかつらを製造した後、毛髪の分け目を「真ん中分け」、「左分け」又は「右分け」などに自由に変更することができる。さらに、本発明のかつらにおけるネットの結び目は、毛髪に一定の方向性を与えないので、かつらベースの広い範囲に適用することが可能となる。
【００１３】
これに加え、本発明のかつらは、特許文献１のかつらと同様に、毛髪が結び目を形成せず、ネットの糸状部材が形成した結び目によって毛髪を保持するので、毛髪の根元を自然な外観にすることができる。特に、ネットが肌色などの明色である場合は、糸状部材の結び目が目立たず、１つの毛穴から２本の毛髪が生えているような自然な外観となる。また、ネットの糸状部材が形成した結び目によって毛髪を保持するので、植毛された毛髪が糸状部材に沿って動いてしまうことがない。
【００１４】
（２）好ましくは、上記（１）のかつらにおいて、前記ネットが、複数本の前記糸状部材を撚ったマルチフィラメントからなり、前記マルチフィラメントを構成する１本の前記糸状部材が形成する前記結び目によって、前記毛髪が前記かつらベースに保持される構成にするとよい。
【００１５】
上記構成によれば、ネットが太いマルチフィラメントからなる場合でも、このマルチフィラメントを構成する１本の糸状部材に結び目を形成して毛髪を保持することができ、毛髪の根元を自然な外観にすることが可能となる。
【００１６】
（３）好ましくは、上記（１）又は（２）のかつらにおいて、前記ネットの糸状部材が、前記毛髪よりも柔軟な素材からなる構成にするとよい。
【００１７】
上記構成によれば、柔軟な糸状部材で結び目を形成しやすくなり、植毛の作業効率を向上させることが可能となる。
【００１８】
（４）好ましくは、上記（１）〜（３）のいずれかのかつらにおいて、前記ネットの糸状部材が、前記毛髪の直径よりも小さい直径を有する構成にするとよい。
【００１９】
上記構成によれば、ネットの糸状部材の結び目をより目立たなくすることができる。また、上記（３）のかつらと同様に、直径が小さいほど、糸状部材が柔軟となって結び目を形成しやすくなり、植毛の作業効率を向上させることが可能となる。
【００２０】
（５）好ましくは、上記（１）〜（４）のいずれかのかつらにおいて、前記ネットの結び目が、接着剤で固定された構成にするとよい。
【００２１】
上記構成によれば、ネットの糸状部材に結び目を形成して保持した毛髪を、接着剤でより強固に固定することができ、植毛された毛髪の脱落を防止することが可能となる。
【００２２】
（６）好ましくは、上記（１）〜（５）のいずれかのかつらにおいて、前記毛髪を保持した前記ネットの形状が、整形剤によって整えられた構成にするとよい。
【００２３】
上記構成によれば、糸状部材が結び目を形成することによって、ネットに縮みが生じた場合でも、ネット全体の形状を整えることができる。
【００２４】
（７）上記目的を達成するために、本発明のかつらの製造方法は、装着者の頭部に装着されるかつらベースと、前記かつらベースに植毛される人工毛又は人毛からなる毛髪とを備え、前記かつらベースが、人工又は天然素材からなる糸状部材を交差状又は略平行に配したネットを含むかつらの製造方法であって、前記かつらベースに前記毛髪を植毛する工程が、前記毛髪を略Ｖ字又は略Ｕ字に曲げ、前記毛髪の２つの自由端の反対側に曲げ部を形成する工程と、前記毛髪の曲げ部を、前記ネットの表側から裏側に挿通し、前記糸状部材の下側を通して、前記ネットの表側に引き出す工程と、前記毛髪の曲げ部の内側に、前記毛髪の２つの自由端側を通す工程と、前記毛髪の曲げ部の内側に通した２つの自由端側を、前記曲げ部の外側から内側に再び通す工程と、前記毛髪の曲げ部の内側に通した２つの自由端側を、互いに反対方向に引っ張ることによって、前記糸状部材に結び目を形成し、前記毛髪を保持する工程と、を含んでいる。
【００２５】
上記方法によれば、上記（１）のかつらにおける、第１及び第２部分を備えたネットの結び目を容易に形成することができる。これにより、毛髪の毛立ちを良好にすることができ、スタイルの自由度を向上させ、さらに、毛髪が結び目を形成しない植毛方法を、かつらベースの広い範囲に適用することが可能となる。
【００２６】
（８）好ましくは、上記（７）のかつらの製造方法において、前記糸状部材に結び目を形成して前記毛髪を保持した後、前記結び目を接着剤で固定する工程を含むようにするとよい。
【００２７】
上記方法によれば、ネットの糸状部材に結び目を形成して保持した毛髪を、接着剤でより強固に固定することができ、植毛された毛髪の脱落を防止することが可能となる。
【００２８】
（９）好ましくは、上記（７）又は（８）のかつらの製造方法において、前記糸状部材に結び目を形成して前記毛髪を保持した後、前記ネットの形状を整形剤で整える工程を含むようにするとよい。
【００２９】
上記方法によれば、糸状部材が結び目を形成することによって、ネットに縮みが生じた場合でも、ネット全体の形状を整えることができる。
【発明の効果】
【００３０】
本発明のかつら及びかつらの製造方法によれば、毛髪の毛立ちを良好にすることができ、毛髪のスタイリング作業が容易になるとともに、スタイルの自由度を向上させることができ、さらに、毛髪が結び目を形成しない画期的な植毛方法を、かつらベースの広い範囲に適用することが可能となる。
【図面の簡単な説明】
【００３１】
【図１】本発明の一実施形態に係るかつらの毛髪を省略した平面図である。
【図２】本実施形態のかつらにおける、毛髪とネットとの結合部分を一方向から見た状態を示す拡大図である。
【図３】本実施形態のかつらにおける、毛髪とネットとの結合部分を他方向から見た状態を示す拡大図である。
【図４】本発明の一実施形態に係るかつらの製造方法の第１工程を示す模式図である。
【図５】本実施形態に係るかつらの製造方法の第２工程を示す模式図である。
【図６】本実施形態に係るかつらの製造方法の第３工程を示す模式図である。
【図７】本実施形態に係るかつらの製造方法の第４工程を示す模式図である。
【図８】本実施形態に係るかつらの製造方法の第５工程を示す模式図である。
【図９】本実施形態に係るかつらの製造方法の第６工程を示す模式図である。
【図１０】本実施形態に係るかつらの製造方法の第７工程を示す模式図である。
【図１１】本実施形態に係るかつらの製造方法の第８工程を示す模式図である。
【図１２】本実施形態に係るかつらの製造方法の第９工程を示す模式図である。
【図１３】本実施形態に係るかつらの製造方法の第１０工程を示す模式図である。
【図１４】本実施形態に係るかつらの製造方法の第１１工程を示す模式図である。
【図１５】本実施形態に係るかつらの製造方法の第１２工程を示す模式図である。
【図１６】本実施形態に係るかつらの製造方法の第１３工程を示す模式図である。
【図１７】従来のかつらにおける、毛髪とネットとの結合部分を一方向から見た状態を示す拡大図である。
【図１８】従来のかつらにおける、毛髪とネットとの結合部分を他方向から見た状態を示す拡大図である。
【発明を実施するための形態】
【００３２】
以下、本発明の一実施形態に係るかつら及びかつらの製造方法について、図面を参照しつつ説明する。なお、本発明は、かつらベースのネットが形成する結び目の構造、及びこの結び目を形成するための方法に特徴がある。したがって、以下に説明する実施形態において、特許文献１として公開された本出願人の特願２０１２−２２４７２１と共通する箇所については、詳細な説明を省略する。
【００３３】
図１において、本実施形態のかつら１は、主として、ネット１０及び人工皮膚２０Ａ、２０Ｂを備えたかつらベース２に、人工毛又は人毛である毛髪３を植毛した構成となっている。人工皮膚２０Ａは、かつらベース２の生え際に対応する箇所に縫着してある。人工皮膚２０Ｂは、かつらベース２の分け目及びつむじに対応する箇所に縫着してある。
【００３４】
＜ネット＞
本実施形態のかつらベース２は、装着者の頭部に合わせた椀状のネット１０で構成してある。ネット１０は、人工又は天然素材からなる糸状部材１１、１１、１１…を格子状に交差させた構成となっている。ネット１０を構成する糸状部材１１の素材としては、成型性及び耐熱性等に優れたナイロン、ポリエステル、アクリルなどの合成繊維が好ましい。但し、綿、麻、絹等の天然繊維からなる糸状部材１１を用いてネット１０を構成してもよい。
【００３５】
糸状部材１１は、１本のフィラメント（線状の構造体）からなるものであってもよいし、複数本の糸状部材１１、１１、１１…を撚ったマルチフィラメントからなるものであってもよい。また、本実施形態では、ネット１０を、糸状部材１１、１１、１１…を格子状に交差させた構成としたが、これに限定されるものではない。例えば、複数本のマルチフィラメントを縦又は横方向に略平行に配したネットを用いることもできる。
【００３６】
ここで、図２及び図３に示すように、本実施形態のかつら１は、ネット１０、又は後述する人工皮膚２０Ａ、２０Ｂの糸状部材１１が形成する結び目１２によって、毛髪３を保持する構成となっている。後に詳述するが、本実施形態では、糸状部材１１に巻き付けた毛髪３を引っ張ることで（図１４〜図１６を参照）、毛髪３の巻き付きを解きつつ、この過程で毛髪３に誘導された糸状部材１１が、毛髪３に巻き付いて結び目１２を形成するようになっている。このため、糸状部材１１は、毛髪３よりも柔軟な素材であることが好ましく、例えば、糸状部材１１の直径を、毛髪３の直径よりも小さくすることが好ましい。
【００３７】
糸状部材１１の色は、特に限定されるものではない。例えば、ネット１０の糸状部材１１は、毛髪３の色と近似した黒色、茶色又は白色などにするとよい。人工皮膚２０Ａ、２０Ｂの糸状部材１１は、頭皮の色と近似した肌色にするとよい。また、ネット１０を構成する糸状部材１１のうち、少なくとも人工皮膚２０Ａ、２０Ｂと重複する箇所の色を肌色にしてもよい。糸状部材１１の色を、毛髪３や頭皮の色と近似させることで、糸状部材１１によって形成される結び目１２が、より目立たなくなる効果がある。
【００３８】
＜人工皮膚＞
人工皮膚２０Ａ、２０Ｂは、例えば、ナイロン、ポリエステル、アクリル等の合成繊維、綿、麻、絹等の天然繊維からなる目の細かい肌色の織布（メッシュ又はネットを含む）により構成してある。つまり、本実施形態の人工皮膚２０Ａ、２０Ｂも、極めて細い糸状部材１１、１１、１１…を格子状に交差させ、ネット１０よりも、さらに微細な網目を形成したネットである。したがって、人工皮膚２０Ａ、２０Ｂの糸状部材１１によっても、本実施形態の結び目１２を形成することが可能である。
【００３９】
各人工皮膚２０Ａ、２０Ｂは、その周縁部をネット１０に縫着してあり、毛髪３の生え際、分け目及びつむじの部分で地肌のように見える役割を果たす。合成繊維又は天然繊維の織布からなる各人工皮膚２０Ａ、２０Ｂは、かつら１の通気性を良好とし、かつら１の耐久性を向上させる利点もある。
【００４０】
＜毛髪＞
毛髪３は、人工毛又は人毛のいずれを用いてもよい。人工毛の素材としては、例えば、ポリエステル、ナイロン、アクリル又は塩化ビニル系の合成繊維が用いられる。毛髪３の太さは、例えば、細い毛髪として約０．０３又は０．０４ｍｍ程度、太い毛髪として約０．０５〜０．１０ｍｍ程度のものを用いる。また、毛髪３の強度の指標としては、結んでいない直線状態のときの引っ張り強度で約０．８０Ｎ以上、結んだ状態の引っ張り強度で約０．６０Ｎ以上のものが好ましい。
【００４１】
＜結び目の構成＞
図２及び図３に示すように、本実施形態のかつら１は、ネット１０又は人工皮膚２０Ａ、２０Ｂの糸状部材１１が、結び目１２を形成し、毛髪３を略Ｖ字又は略Ｕ字に曲げられた状態でかつらベース２に保持している。以下、本実施形態のかつら１における、糸状部材１１の結び目１２の構成について、図２及び図３を参照しつつ説明する。
【００４２】
糸状部材１１の結び目１２は、一対の第１部分１２ａ、１２ｂと、一対の第２部分１２ｃ、１２ｄと、単一の第３部分１２ｅとを備える。これら第１〜第３部分１２ａ〜１２ｅは、糸状部材１１の連続する部分によって形成されている。具体的に、第１部分１２ａは、第２部分１２ｃに連続する。一方、第１部分１２ｂは、第２部分１２ｄに連続する。そして、第２部分１２ｃ、１２ｄは、それぞれ第３部分１２ｅに連続する。
【００４３】
図２に示すように、結び目１２の第１部分１２ａ、１２ｂは、それぞれ毛髪３の曲げ部３ａの内側を通過する。図３に示すように、結び目１２の第２部分１２ｃ、１２ｄは、それぞれ第１部分１２ａ、１２ｂに連続し、毛髪３の外側で互いに交差する。図２に示すように、第３部分１２ｅは、第２部分１２ｃ、１２ｄのそれぞれに連続し、毛髪３の外側に巻き付く。
【００４４】
図２及び図３に示すように、結び目１２の第２及び第３部分１２ｃ、１２ｄ及び１２ｅは、共同して毛髪３の根元を締め付け、毛髪３の２つの自由端側３ｂ、３ｃを上向きに立ち上がらせる。これにより、かつらベース２に植毛された毛髪３の毛立ちが良好となり、毛髪３が自由な方向を向くようになる。この結果、毛髪３のスタイリング作業が容易となり、また、植毛工程の完了後に、毛髪３のスタイルを自由に変更することが可能となる。例えば、毛髪３に分け目を付けないフリースタイルのかつら１を製造した後、毛髪３の分け目を「真ん中分け」、「左分け」又は「右分け」などに自由に変更することができる。
【００４５】
さらに、本実施形態の結び目１２は、毛髪３に一定の方向性を与えないので、かつらベース２の広い範囲に適用することが可能となる。例えば、図１に示す人工皮膚２０Ａ及び／又は２０Ｂの全範囲に、本実施形態の結び目１２を適用すれば、かつら１の外観に影響を与える重要な部分において、毛髪３の毛立ちを良好にすることができる。これにより、かつら１の製造過程における技術者のスタイリング作業が容易となり、さらに、使用時におけるユーザのスタイリングも良好に行えるようになる。
【００４６】
これに加え、本実施形態のかつら１は、毛髪３が結び目を形成せず、ネット１０又は人工皮膚２０Ａ、２０Ｂの糸状部材１１が結び目１２を形成して毛髪３を保持する。これにより、毛髪３の根元を自然な外観にすることができる。特に、ネット１０又は人工皮膚２０Ａ、２０Ｂが白や肌色などの明色である場合は、糸状部材１１の結び目１２が目立たず、１つの毛穴から２本の毛髪３が生えているような自然な外観となる。また、糸状部材１１が結び目１２を形成して毛髪３を保持するので、植毛された毛髪３が糸状部材１１に沿って動いてしまうことがない。
【００４７】
＜かつらの製造方法＞
図２及び図３に示す糸状部材１１の結び目１２は、図４〜図１６に示す一連の植毛工程を経て形成される。以下、図４〜図１６を参照しつつ、本発明の一実施形態に係るかつらの製造方法について説明する。
【００４８】
本実施形態では、かつらベース２の分け目及びつむじの部分を構成する人工皮膚２０Ｂの織布に、毛髪３を植毛する工程を例示する。以下に説明する植毛工程は、一般に、かつら製造メーカの熟練した技術者によって行われる。なお、説明の便宜上、技術者の各作業工程を図４〜図１６に模式的に示し、各作業工程の詳細は、以下の文章により特定する。
【００４９】
図４に示すように、技術者は、毛髪３を略Ｖ字又は略Ｕ字に曲げ、毛髪３の２つの自由端３ｂ、３ｃの反対側に、略環状の曲げ部３ａを形成する。次いで、技術者は、一の糸状部材１１により区画された、人工皮膚２０Ｂの隣り合う２つの網目に鈎針１００を通す。その後、技術者は、毛髪３の曲げ部３ａに鈎針１００を引っ掛ける。
【００５０】
図５に示すように、技術者は、２つの網目から鈎針１００を順に引き抜く。これにより、毛髪３の曲げ部３ａが、人工皮膚２０Ｂの一の網目に挿通され、一の糸状部材１１の下側を通って、隣り合う他の網目から引き出される。
【００５１】
図６に示すように、技術者は、毛髪３の曲げ部３ａの内側に鈎針１００を挿通し、毛髪３の２つの自由端側３ｂ、３ｃに鈎針１００を引っ掛ける。次いで、図７に示すように、技術者は、毛髪３の曲げ部３ａの内側から鈎針１００を引き抜き、図８に示すように、曲げ部３ａの内側に、毛髪３の２つの自由端側３ｂ、３ｃを通す。
【００５２】
図９に示すように、技術者は、毛髪３の曲げ部３ａの内側に通した２つの自由端側３ｂ、３ｃを、曲げ部３ａの外側に位置させる。次いで、図１０に示すように、技術者は、毛髪３の曲げ部３ａの内側に鈎針１００を挿通する。その後、図１１に示すように、技術者は、毛髪３の曲げ部３ａの外側に位置する２つの自由端側３ｂ、３ｃに鈎針１００を引っ掛ける。そして、図１２に示すように、技術者は、毛髪３の曲げ部３ａの内側から鈎針１００を引き抜く。これにより、図１３に示すように、毛髪３の曲げ部３ａの内側に通された２つの自由端側３ｂ、３ｃが、曲げ部３ａの外側から内側に再び通される。これにより、毛髪３の２つの自由端側３ｂ、３ｃが、曲げ部３ａに巻き付いた状態になる。
【００５３】
図１４に示すように、技術者は、毛髪３の曲げ部３ａの内側に２回通過させた２つの自由端側３ｂ、３ｃを、互いに反対方向に引っ張る。すると、図１５に示すように、毛髪３の曲げ部３ａと、２つの自由端側３ｂ、３ｃの曲げ部３ａに巻き付いた部分と（以下「曲げ部３ａ等」いう）が徐々に集約される。このような毛髪３の曲げ部３ａ等の集約に伴って、糸状部材１１が曲げ部３ａの周辺に徐々に巻き付いていく。
【００５４】
図１６に示すように、技術者が、毛髪３の２つの自由端側３ｂ、３ｃを完全に引っ張ると、毛髪３の曲げ部３ａ等が消失し、１本の毛髪３は、真っ直ぐな状態となる。毛髪３の曲げ部３ａ等が消失すると、糸状部材１１には、図２及び図３に示す結び目１２が形成される。この結び目１２により、毛髪３は、略Ｖ字又は略Ｕ字に曲げられた状態で人工皮膚２０Ｂに保持される。
【００５５】
＜毛髪の脱落防止、ネットの整形＞
好ましくは、糸状部材１１の結び目１２を接着剤で固定するとよい。これにより、糸状部材１１に結び目１２を形成して保持した毛髪３を、接着剤でより強固に固定することができ、植毛した毛髪３の脱落を防止することが可能となる。
【００５６】
また、好ましくは、毛髪３を保持したネット１０又は人工皮膚２０Ａ、２０Ｂの形状を整形剤で整えるとよい。これにより、糸状部材１１が結び目１２を形成することによって、ネット１０等に縮みが生じた場合でも、ネット１０等の全体の形状を整えることができる。
【符号の説明】
【００５７】
１  かつら
２  かつらベース
３  毛髪
３ａ  曲げ部
３ｂ、３ｃ  自由端側（自由端）
１０  ネット
１１  糸状部材
１２  結び目
１２ａ、１２ｂ  第１部分
１２ｃ、１２ｄ  第２部分
１２ｅ  第３部分
２０Ａ、２０Ｂ  人工皮膚（ネット）
１００  鉤針
【図１】
0006643021.tif 000002
【図２】
0006643021.tif 000003
【図３】
0006643021.tif 000004
【図４】
0006643021.tif 000005
【図５】
0006643021.tif 000006
【図６】
0006643021.tif 000007
【図７】
0006643021.tif 000008
【図８】
0006643021.tif 000009
【図９】
0006643021.tif 000010
【図１０】
0006643021.tif 000011
【図１１】
0006643021.tif 000012
【図１２】
0006643021.tif 000013
【図１３】
0006643021.tif 000014
【図１４】
0006643021.tif 000015
【図１５】
0006643021.tif 000016
【図１６】
0006643021.tif 000017
【図１７】
0006643021.tif 000018
【図１８】
0006643021.tif 000019